(57)【要約】【課題】電線の保護をしながら、振動による振動荷重を抑えることができる電線カバー付きコネクタを提供する。【解決手段】電線５０に接続された端子が収容される端子収容室を有し、後面２１ｂから電線５０を引き出すハウジング２０と、ハウジング２０の後面２１ｂ側に装着される筒状の電線カバー３０と、を備えた電線カバー付きコネクタ１０であって、電線カバー３０の後端部３１ｃ，３５ｃには、切断可能な連結部４０で連結された電線保護延長部４１，４２が設けられている。【選択図】図４
2020202050.tif 000002
【特許請求の範囲】
【請求項１】
電線に接続された端子が収容される端子収容室を有し、後面から電線を引き出すハウジングと、
前記ハウジングの後面側に装着される筒状の電線カバーと、
を備えた電線カバー付きコネクタであって、
前記電線カバーの後端部には、切断可能な連結部で連結された電線保護延長部が設けられていることを特徴とする電線カバー付きコネクタ。
【請求項２】
請求項１記載の電線カバー付きコネクタであって、
前記電線カバーは、前記ハウジングの後面側に装着される本体カバーと、前記本体カバーと合体して筒状となって前記電線を覆う蓋カバーと、を有し、
前記本体カバーの後端部及び前記蓋カバーの後端部には、切断可能な連結部で連結された半筒状の電線保護延長部がそれぞれ設けられていることを特徴とする電線カバー付きコネクタ。
【発明の詳細な説明】
【技術分野】
【０００１】
本発明は、電線を保護するカバーを備えた電線カバー付きコネクタに関する。
【背景技術】
【０００２】
この種の電線カバー付きコネクタとして、特許文献１に開示されたものがある。この電線カバー付きコネクタは、図８に示すように、コネクタ１から引き出された電線２をゴムブーツ製のカバー３で保護し、このカバー３の開口部３ａから引き出された電線２は、スリーブ４を介してコルゲートチューブ５で保護されるようになっている。
【先行技術文献】
【特許文献】
【０００３】
【特許文献１】特開２０１７−４７４０号公報
【発明の概要】
【発明が解決しようとする課題】
【０００４】
前記従来のコネクタ１では、電線２の保護を行うのに、ゴムブーツ製のカバー３やコルゲートチューブ５を使用して、他に部品等への電線が直接当たらないようにしているが、電線２からの振動が入ってきた場合に、電線２からコルゲートチューブ５、ゴムブーツ製のカバー３へと順に振動が伝わり、この伝わってきた振動がコネクタ１に伝わり、コネクタ嵌合部を摺動させて接点部の摩耗が起こり、抵抗上昇の影響が出るおそれがある。
【０００５】
そこで、本発明は、前記した課題を解決すべくなされたものであり、電線の保護をしながら、振動による振動荷重を抑えることができる電線カバー付きコネクタを提供することを目的とする。
【課題を解決するための手段】
【０００６】
本発明は、電線に接続された端子が収容される端子収容室を有し、後面から電線を引き出すハウジングと、前記ハウジングの後面側に装着される筒状の電線カバーと、
を備えた電線カバー付きコネクタであって、前記電線カバーの後端部には、切断可能な連結部で連結された電線保護延長部が設けられていることを特徴とする。
【発明の効果】
【０００７】
本発明によれば、電線カバーの後端部に切断可能な連結部で連結された電線保護延長部を設けたことにより、電線カバーで電線の保護をしながら、振動による振動荷重を抑えることができる。
【図面の簡単な説明】
【０００８】
【図１】本発明の一実施形態のカバー組付状態の電線カバー付きコネクタを示す斜視図である。
【図２】上記電線カバー付きコネクタの平面図である。
【図３】上記電線カバー付きコネクタに用いられる電線カバーが開いた状態を示す斜視図である。
【図４】図２中Ｘ−Ｘ線に沿う断面図である。
【図５】図４中Ｙ部分の拡大断面図である。
【図６】上記電線カバー付きコネクタをエンジンルームに取り付けた状態を示す平面図である。
【図７】上記エンジンルームに取り付けた電線カバー付きコネクタを図２中Ｘ−Ｘ線に沿う方向と直交する方向に沿って切断した断面図である。
【図８】従来の電線カバー付きコネクタの断面図である。
【発明を実施するための形態】
【０００９】
以下、本発明の一実施形態を図面に基づいて説明する。
【００１０】
図１は本発明の一実施形態のカバー組付状態の電線カバー付きコネクタを示す斜視図、図２は同電線カバー付きコネクタの平面図、図３は同電線カバー付きコネクタに用いられる電線カバーが開いた状態を示す斜視図、図４は図２中Ｘ−Ｘ線に沿う断面図、図５は図４中Ｙ部分の拡大断面図、図６は同電線カバー付きコネクタをエンジンルームに取り付けた状態を示す平面図、図７は同エンジンルームに取り付けた電線カバー付きコネクタを図２中Ｘ−Ｘ線に沿う方向と直交する方向に沿って切断した断面図である。
【００１１】
図１、図７に示すように、電線カバー付きコネクタ１０は、後面（背面）２１ｂから電線５０が引き出される合成樹脂製の雌ハウジング（ハウジング）２０と、雌ハウジング２０の後面２１ｂ側に装着される合成樹脂製で筒状の電線カバー３０と、を備えている。
【００１２】
図４、図７に示すように、雌ハウジング２０は、電線５０に接続された雌端子（端子）５１が収容される２つの端子収容室２２を有したハウジング本体２１と、このハウジング本体２１の中央に一体突出形成され、内部に図示しない相手方の雄コネクタの雄ハウジングが嵌合される前面側と上面側が開口したフード部２３と、ハウジング本体２１の前側に嵌め込まれ、図示しない相手側の雄端子が差し込まれる端子挿入孔２４ａと雌端子５１を係止する図示しないランスとを有する筒状のフロントホルダ２４と、を備えている。
【００１３】
図７に示すように、ハウジング本体２１の端子収容室２２には、後面２１ｂに設けられた端子収容室２２の円形の開口部２２ｂから電線５０の端末に接続された雌端子５１が収容され、各端子収容室２２と電線５０との間は、電線５０に装着されたゴム栓５２によりシールされる。尚、ハウジング本体２１の前面２１ａには、図示しない相手側の雄端子が差し込まれる端子挿入孔２２ａが端子収容室２２に連通するように形成されている。
【００１４】
また、図１に示すように、ハウジング本体２１の両側面２１ｃ，２１ｃの後端側には、カバー係止部としての凹状のカバー係止溝２５，２５が形成されている。また、ハウジング本体２１の天井面２１ｄには、相手方の雄ハウジングとの間を嵌合状態にロックするためのロックアーム２６が設けられている。このロックアーム２６の操作端２６ａは、フード部２３の上面開口の後側に設けられている。さらに、図４に示すように、ハウジング２０の下面２１ｅの後端には、カバー取付部としてのカバー取付突起２７が設けられている。
【００１５】
図１〜図４、図６、図７に示すように、電線カバー３０は、ハウジング本体２１の両側面２１ｃ，２１ｃの凹状のカバー係止溝２５，２５に取り付けられる略半円筒状の本体カバー３１と、この本体カバー３１と合体して筒状となった状態でハウジング２０の下面２１ｅのカバー取付突起２７に取り付けられ、電線５０が貫通したコルゲートチューブ４５の前端側を覆う略半円筒状の蓋カバー３５と、本体カバー３１と蓋カバー３５との間に設けられたヒンジ３９と、を有している。
【００１６】
図１、図３、図４に示すように、本体カバー３１の前側には、一対の取付部３２，３２が平行に垂直に延びるように一体形成されている。この各取付部３２の内側には、ハウジング本体２１の凹状のカバー係止溝２５に嵌め込まれるハウジング係止部としての凸状のハウジング係止突起３２ａが設けられている。また、本体カバー３１の内面３１ａには、コルゲートチューブ５５の蛇腹状の凸部５５ａに係止される凹部３３が設けられている。さらに、本体カバー３１のヒンジ３９と反対側の端部には、ロック穴３４が設けられている。
【００１７】
図７に示すように、ハウジング本体２１の両側面２１ｃ，２１ｃの後側に装着される本体カバー３１の内面３１ａの前両側には、半環状の段差状凹部３１ｂが形成されている。この本体カバー３１の内面３１ａの段差状凹部３１ｂとハウジング本体２１の両側面２１ｃ，２１ｃの隙間が水抜き通路になっている。
【００１８】
図４に示すように、蓋カバー３５の内面３５ａの前側には、ハウジング本体２１のカバー取付突起２７に嵌め込まれるハウジング取付部としての凹状のハウジング取付溝３６が設けられている。また、蓋カバー３５の内面３５ａには、コルゲートチューブ５５の蛇腹状の凸部５５ａに係止される凹部３７が設けられている。さらに、図２に示すように、蓋カバー３５のヒンジ３９と反対側の端部には、ロック穴３４にロックされるロック突起部３８が設けられている。尚、本体カバー３１と蓋カバー３５が合体して筒状になったときに、本体カバー３１の外側にある取付部３２の下端側に形成された切欠き部３２ｂに、蓋カバー３５の外側の前部に形成された段差部３６ａが嵌め込まれるようになっている。
【００１９】
また、図１〜図４に示すように、本体カバー３１の後端部３１ｃ及び蓋カバー３５の後端部３５ｃには、切断可能な連結部４０で連結された半円筒状の電線保護延長部４１，４３がそれぞれ一体突出形成されている。図４及び図５に示すように、各電線保護延長部４１，４３の内面４１ａ，４３ａには、コルゲートチューブ５５の蛇腹状の凸部５５ａに係止される凹部４２，４４が設けられている。尚、図３に示すように、各電線保護延長部４１，４３の外面４１ｂ，４３ｂの後端には、テープ止め用突起４１ｃ，４３ｃが半環凸状状に一体突出形成されている。
【００２０】
以上実施形態の電線カバー付きコネクタ１０によれば、図６に示すように、エンジンルームに狭い間隔で設けられた障害物としての一対の金属パイプ６０，６０間に、電線カバー付きコネクタ１０の後面２１ｄから引き出された電線５０を配索する場合には、電線カバー３０の本体カバー３１の後端部３１ｃ及び蓋カバー３５の後端部３５ｃと各半円筒状の電線保護延長部４１，４３を連結した各連結部４０を切断して各電線保護延長部４１，４３を取り除いた状態で使用する。電線カバー３０の後部に各電線保護延長部４１，４３が無いため、狭い間隔で配置された一対の金属パイプ６０，６０間に、電線カバー付きコネクタ１０の後面２１ｄから引き出された電線５０が各パイプ６０に接触することなく、配索することができる。よって、パイプＰの振動が電線５０に伝わり難くため、振動による雌端子５１への影響を軽減することが可能となり、電線３０を係止及び保護に必要な最低限の長さを確保しつつ電線カバー３０で確実に保護しながら、雌端子５１への振動の影響を可及的に抑えることができる。
【００２１】
また、広い空間を有する設置場所に電線カバー付きコネクタ１０の後面２１ｄから引き出された電線５０を配索することができる場合には、電線カバー３０の本体カバー３１の後端部３１ｃ及び蓋カバー３５の後端部３５ｃと各半円筒状の電線保護延長部４１，４３を連結した各連結部４０を切断することなく、電線カバー３０の後部の一対の電線保護延長部４１，４３をテープ巻き、または、タイラップ等で固定して使用すれば、電線カバー３０の各電線保護延長部４１，４３及びコルゲートチューブ５５で電線５０を確実に保護することができる。
【００２２】
尚、前記実施形態によれば、蓋カバー及び電線保護延長部を半円筒状に形成したが、蓋カバー及び電線保護延長部を四角筒状の半筒状に形成しても良い。
【符号の説明】
【００２３】
１０  電線カバー付きコネクタ
２０  雌ハウジング（ハウジング）
２１ｂ  後面
２２  端子収容室
３０  電線カバー
３１  本体カバー
３１c  後端部
３５  蓋カバー
３５c  後端部
４０  連結部
４１，４３  半円筒状の電線保護延長部（半筒状の電線保護延長部）
５０  電線
５１  雌端子（端子）
【図１】
2020202050.tif 000003
【図２】
2020202050.tif 000004
【図３】
2020202050.tif 000005
【図４】
2020202050.tif 000006
【図５】
2020202050.tif 000007
【図６】
2020202050.tif 000008
【図７】
2020202050.tif 000009
【図８】
2020202050.tif 000010